(57)【要約】【課題】しごく簡単な動作でペットのリードから手を解放することができるレセプションカウンターを提供する。【解決手段】レセプションカウンター４１は、エントランス１４に設置されて、床面から規定の高さに天板４２を支持するカウンター本体４３と、天板４２の上向き面から上向きに突出して、首輪４７から延びるリード４８の環状の持ち手４８ａに進入する棒体４４とを備える。【選択図】図５
2020185111.tif 000002
【特許請求の範囲】
【請求項１】
エントランスに設置されて、床面から規定の高さに天板を支持するカウンター本体と、
前記天板の上向き面から上向きに突出して、首輪から延びるリードの環状の持ち手に進入する棒体と
を備えることを特徴とするレセプションカウンター。
【請求項２】
請求項１に記載のレセプションカウンターにおいて、前記棒体は、前記天板の縁からの距離よりも大きい高さを有することを特徴とするレセプションカウンター。
【請求項３】
請求項１または２に記載のレセプションカウンターにおいて、前記棒体は、前記天板の縁から１００ｍｍ以内の範囲に配置されることを特徴とするレセプションカウンター。
【発明の詳細な説明】
【技術分野】
【０００１】
本発明は、エントランスに設置されて、床面から規定の高さに天板を支持するカウンター本体を備えるレセプションカウンターに関する。
【背景技術】
【０００２】
ペットの同伴を許容する店舗やホテルは一般に知られる。店舗では食後や買い物後にお客様はエントランスのレセプションカウンターで代金を精算する。ホテルではチェックイン時やチェックアウト時にお客様はレセプションカウンターでチェックインやチェックアウトの手続きを実施する。しばしば、お客様の手はリードの保持で塞がれてしまう。だれもが経験するように、たとえ利き手であっても、片手で財布からカードや現金を取り出すことは難しい。用紙を手で押さえずに片手で宿泊カードに文字を書き込むことは難しい。
【先行技術文献】
【特許文献】
【０００３】
【特許文献１】特開２００１−２３８７７３号公報
【発明の概要】
【発明が解決しようとする課題】
【０００４】
カウンターの側面にカラビナ型のリードフックが取り付けられれば、お客様は、鎖のようにリードフックの輪にリードの環状の持ち手を繋ぎ止め、リードの保持から片手を解放することができる。とはいえ、リードフックのゲートはばねでロックされることから、リードの取り外しにあたって両手の作業が要求されてしまう。お客様に面倒臭さを感じさせてしまう。
【０００５】
本発明は、しごく簡単な動作でペットのリードから手を解放することができるレセプションカウンターを提供することを目的とする。
【課題を解決するための手段】
【０００６】
本発明の第１側面によれば、エントランスに設置されて、床面から規定の高さに天板を支持するカウンター本体と、前記天板の上向き面から上向きに突出して、首輪から延びるリードの環状の持ち手に進入する棒体とを備えるレセプションカウンターが提供される。
【０００７】
ペットの同伴を許容する店舗やホテルではしばしばお客様はペットを連れて歩く。代金の精算時やチェックイン時、チェックアウト時にエントランスでレセプションカウンターに立ち寄る。カードや現金の取り出しや文字の書き込みにあたってお客様はペットのリードから手を解放することができる。手の解放にあたってリードの環状の持ち手は棒体に引っかけられる。リードの環状の持ち手に棒体をくぐらせるだけなので、お客様は片手で難なく作業を実現することができる。リードに作用する重力の働きでリードは棒体回りに保持される。片手で重力に逆らってリードの環状の持ち手を持ち上げるだけで、リードは棒体から取り外されることができる。しごく簡単な動作でお客様はペットのリードから手を解放することができる。
【０００８】
前記棒体は、前記天板の縁からの距離よりも大きい高さを有すればよい。天板の縁から内側に遠ざかるにつれてリードには重力方向の引っ張り力に比べて水平方向の引っ張り力が増大する。縁からの距離に応じて棒体の高さが増大すれば、棒体からリードの離脱は良好に阻止されることができる。
【０００９】
前記棒体は、前記天板の縁から１００ｍｍ以内の範囲に配置されればよい。棒体が天板の縁に近いほど、棒体に簡単にリードは引っかけられることができる。リードは棒体から真っ直ぐに垂れ下がりやすいので、重力の働きで良好にリードは棒体回りに保持されることができる。
【発明の効果】
【００１０】
以上のように開示のレセプションカウンターによれば、しごく簡単な動作でペットのリードから手を解放することができる。
【図面の簡単な説明】
【００１１】
【図１】本発明の一実施形態に係る飲食店舗システムを含む建造物の外観を概略的に示す斜視図である。
【図２】本実施形態に係る飲食店舗システムを採用するキッチンおよびホールの構造を概略的に示す遠近法図である。
【図３】レセプションカウンターの外観を概略的に示す拡大斜視図である。
【図４】レセプションカウンターの拡大垂直断面図である。
【図５】棒体にリードの環状の持ち手が引っかけられた際にレセプションカウンターを示す概念図である。
【発明を実施するための形態】
【００１２】
以下、添付図面を参照しつつ本発明の一実施形態を説明する。
【００１３】
図１は本発明の一実施形態に係る店舗を含む建造物の外観を概略的に示す。建造物１１は、鉄筋コンクリートや鉄筋鉄骨コンクリートその他の材質から形成される柱、梁、床、壁および天井を有する躯体１２と、躯体１２に組み込まれる窓枠１３とを備える。窓枠１３にはガラス板が嵌め込まれる。躯体１２には、ペットを収容する店舗内の空間に店舗外の空間を接続するエントランス１４が形成される。エントランス１４では扉枠に開き戸が開閉自在に組み込まれる。開き戸は垂直軸線回りに回転可能にヒンジで縦枠に連結される。
【００１４】
図２に示されるように、建造物１１には飲食店舗システムＭが組み込まれる。飲食店舗システムＭは、躯体１２に組み付けられてキッチン１５を区画する第１構造体１６と、躯体１２に組み付けられて、キッチン１５から分離されたホール１７を区画する第２構造体１８とを備える。第１構造体１６および第２構造体１８は、それぞれ、間仕切り１９や置き床２１、天井板２２などを含む。ここでは、キッチン１５は間仕切り１９でホール１７から分離される。その他、キッチン１５はカウンターでホール１９から分離されるオープンキッチンに構成されてもよい。
【００１５】
飲食店舗システムＭは、ホール１７内に設置される１以上のテーブル２３を備える。個々のテーブル２３は、置き床２１の床面から所定の高さに脚２４で支持される天板２５を備える。天板２５の天面には、座席を収容する座席スペースを形成する線形の第１辺２５ａと、第１辺２５ａに向き合って、座席を収容する座席スペースを形成する線形の第２辺２５ｂとが規定される。座席スペースはひとりひとりに割り当てられる。１つの座席スペースは標準的な大人に十分な大きさに形成される。ここでは、第１辺２５ａと第２辺２５ｂとは相互に平行に位置する。天面の輪郭は、第１辺２５ａおよび第２辺２５ｂから等距離に位置する中間線に直交し、第１辺２５ａから第２辺２５ｂまで延びる側辺２５ｃをさらに含む。したがって、天面の輪郭は矩形である。矩形の角は面取りされてもよい。
【００１６】
テーブル２３には、第１辺２５ａに沿って個々の座席スペースごとに配置されるチェア２６と、第２辺２５ｂに沿って複数の座席スペースに共通に配置されるベンチシート２７とが組み合わせられる。チェア２６およびベンチシート２７は、床面から決められた高さに位置し、ひとＨＢの臀部を支持する座面を有する。チェア２６およびベンチシート２７にひとＨＢは着席することができる。
【００１７】
テーブル２３には、第１辺２５ａに沿って特定の座席スペースに配置されるドッグチェア２８が組み合わせられる。ドッグチェア２８は、犬ＤＧを支持する座面２８ａを有する。ドッグチェア２８の座面２８ａは置き床２１の表面（床面）から所定の高さに位置する。
【００１８】
ドッグチェア２８は、床面に平行に水平面内に広がる座面２８ａを形成するシート２９ａを備える。シート２９ａはレッグ２９ｂで床上に支持される。シート２９ａには、座面２８ａ上の空間を後方から覆う背もたれ２９ｃが結合される。座面２８ａ上の空間の左右両側で背もたれ２９ｃおよびシート２９ａには肘掛け２９ｄが結合される。
【００１９】
個々のテーブル２３にはロースター３１が設置される。ロースター３１は、バーナーの上方で金網３１ａを保持する開口３１ｂと、金網３１ａの上方で金網３１ａを取り囲み開口３１ｂの内壁に配置される排気口３１ｃとを備える。金網３１ａの上に置かれた食材はバーナーで焼かれることができる。排気口３１ｃは金網３１ａ上の空間に向き合わせられる。金網３１ａ上の空間から排気口３１ｃに空気は流入する。
【００２０】
飲食店舗システムＭは、少なくともキッチン１５およびホール１７で流通する第１食器３２および第２食器３３を備える。第１食器３２および第２食器３３は個々のテーブル２３に載せられる。第１食器３２はひとＨＢに対する食事の提供に用いられる。第１食器３２は皿および椀、ボウル、箸、スプーン、フォークその他を含む。
【００２１】
第２食器３３は犬ＤＧに対する食事の提供に用いられる。第２食器３３は皿および椀、ボウル、箸、スプーン、フォークその他を含む。ひとＨＢに専用の第１食器３２と犬ＤＧに専用の第２食器３３とは分別される。ひとＨＢ専用の第１食器３２は犬ＤＧの食事には用いられない。犬ＤＧ専用の第２食器３３はひとＨＢの食事には用いられない。ここでは、第１食器３２は第２食器３３から色分けされる。第１食器３２の皿や椀、ボウルは例えば白色に着色される一方で、第２食器３３の皿や椀、ボウルは例えば赤色に着色される。第２食器３３は例えば床面に置かれる犬ＤＧ用の食事台３４に載せられてもよい。
【００２２】
キッチン１５には、ガスコンロ３５といった調理器具や冷蔵庫その他の電化製品が設置される。ガスコンロ３５で食材の調理は実施される。ガスコンロ３５の上方には換気扇ユニット３６が設置される。換気扇ユニット３６でシロッコファンが回転すると、ガスコンロ３５上の空間から空気は換気口３７に流入する。ガスコンロ３５で熱せられ食材の調理匂いを含む空気は換気口３７に吸い込まれる。
【００２３】
第１食器３２の皿や椀、ボウルにはキッチン１５で食物が盛りつけられる。第１食器３２はキッチン１５からホール１７に運ばれる。第１食器３２には、テーブル２３に着くひとＨＢに提供される食物が支持される。食後の第１食器３２は例えばキッチン１５内の洗い場で洗浄される。こうして第１食器３２は少なくともキッチン１５およびホール１７で流通する。
【００２４】
同様に、第２食器３３の皿や椀、ボウルにはキッチン１５で食物が盛りつけられる。第２食器３３はキッチン１５からホール１７に運ばれる。第２食器３３には、ひとＨＢに連れられてきた犬ＤＧに提供される食物が支持される。食後の第２食器３３は例えばホール１７内の洗い場で洗浄される。こうして第２食器３３は少なくともキッチン１５およびホール１７で流通する。
【００２５】
図３に示されるように、店舗内の空間では、エントランス１４に続く通路にレセプションカウンター４１が設置される。レセプションカウンター４１は、床面から規定の高さに天板４２を支持するカウンター本体４３と、天板４２の上向き面から上向きに突出して、首輪から延びるリードの環状の持ち手に進入する棒体４４とを備える。天板４２の上向き面は水平面に形成される。天板４２上にはキャッシュレジスター４５が設置される。天板４２は大理石様の樹脂材であってもよく金属材であってもよく木材であってもよい。天板４２の表面は一律に平面で規定されてもよく部分的に段差で窪んでもよく外周に沿って盛り上がる囲いを有してもよい。
【００２６】
図４に示されるように、棒体４４は、天板４２の縁からの距離Ｌよりも大きい高さＨを有する。棒体４４は、天板４２の縁から１００ｍｍ以内の範囲に配置される。棒体４４は特定の間隔で複数箇所に配列される。ただし、棒体４４は１本だけ配置されてもよい。棒体４４は天板４２と同じ素材から成形されてもよく相違する素材から成形されてもよい。棒体４４は金属材、木材、樹脂材その他の材料から成形されることができる。棒体４４は、天板４２の穴に差し込まれて固定されてもよく、ねじで天板４２に締結されてもよく、天板４２に一体成型で連続してもよい。
【００２７】
飲食後、お客様は犬ＤＧを連れて歩く。犬ＤＧには、図５に示されるように、首輪４７が着用される。首輪４７にはリード４８が連結される。お客様は、首輪４７から延びるリード４８の環状の持ち手４８ａを把持する。
【００２８】
お客様は、代金の精算にあたって、エントランス１４でレセプションカウンター４１に立ち寄る。ここでは、カードや現金の取り出しにあたってお客様は犬ＤＧのリード４８から手を解放することができる。手の解放にあたってリード４８の環状の持ち手４８ａは棒体４４に引っかけられる。リード４８の環状の持ち手４８ａに棒体４４をくぐらせるだけなので、お客様は片手で難なく作業を実現することができる。しかも、棒体４４は天板４２上に配置されることから、お客様は視覚的に動作を確認し続けることができる。リード４８に作用する重力の働きでリード４８は棒体４４回りに保持される。片手で重力に逆らってリード４８の環状の持ち手４８ａを持ち上げるだけで、リード４８は棒体４４から取り外されることができる。しごく簡単な動作でお客様は犬ＤＧのリード４８から手を解放することができる。
【００２９】
本実施形態では、棒体４４は、天板４２の縁からの距離Ｌよりも大きい高さＨを有する。天板４２の縁から内側に遠ざかるにつれてリード４８には重力方向の引っ張り力に比べて水平方向の引っ張り力が増大する。縁からの距離Ｌに応じて棒体４４の高さＨが増大すれば、棒体４４からリード４８の離脱は良好に阻止されることができる。
【００３０】
棒体４４は、天板４２の縁から１００ｍｍ以内の範囲に配置される。棒体４４が天板４２の縁に近いほど、棒体４４に簡単にリード４８は引っかけられることができる。リード４８は棒体４４から真っ直ぐに垂れ下がりやすいので、重力の働きで良好にリード４８は棒体４４回りに保持されることができる。
【符号の説明】
【００３１】
１４…エントランス、４１…レセプションカウンター、４２…天板、４３…カウンター本体、４４…棒体、４７…首輪、４８…リード、４８ａ…環状の持ち手、ＤＧ…ペット（犬）、Ｌ…（縁から棒体までの）距離、Ｈ…（棒体の）高さ。
【図１】
2020185111.tif 000003
【図２】
2020185111.tif 000004
【図３】
2020185111.tif 000005
【図４】
2020185111.tif 000006
【図５】
2020185111.tif 000007